(57)【要約】【課題】リード線の配線を要せずに、放電ランプの寿命末期を表示手段による報知で行える照明制御システムを提供する。【解決手段】照明制御システム１は、ランプ寿命検出手段１０が放電ランプ５の寿命末期を検出したときに検出データを第１の送受信手段８から伝送線２に出力させる第１の制御手段１１を有してなる端末機能付き放電ランプ点灯装置３と、第２の送受信手段２２が伝送線２から前記検出データを受信したときに表示手段１９，２０に前記寿命末期の検出を表示させる第２の制御手段２７を有してなる壁スイッチ装置４とを具備している。【選択図】図１
2007087895.tif 000002
【特許請求の範囲】
【請求項１】
制御信号を伝送する伝送線と；
伝送線から制御信号を受信し伝送線へ制御信号を送信する第１の送受信手段と、第１の送受信手段が受信した制御信号に応じて放電ランプを点灯させる高周波点灯手段と、高周波点灯手段により点灯される放電ランプと、放電ランプの寿命末期を検出するランプ寿命検出手段およびこのランプ寿命検出手段が前記寿命末期を検出したときに検出データを第１の送受信手段から伝送線に出力させる第１の制御手段とを有してなる端末機能付き放電ランプ点灯装置と；
伝送線から制御信号を受信し伝送線へ制御信号を送信する第２の送受信手段、手動操作されるスイッチ手段および視認される表示手段を備え、スイッチ手段の手動操作に応じた制御信号を第２の送受信手段から伝送線に出力させるとともに、第２の送受信手段が伝送線から前記検出データを受信したときに表示手段に前記寿命末期の検出を表示させる第２の制御手段を有してなる壁スイッチ装置と；
を具備していることを特徴とする照明制御システム。
【発明の詳細な説明】
【技術分野】
【０００１】
本発明は、放電ランプの寿命末期を報知させる照明制御システムに関する。
【背景技術】
【０００２】
放電ランプの寿命末期を検出し、寿命末期である旨を報知させる放電ランプ点灯装置が知られている。例えば、放電ランプの寿命末期時に放電ランプを点滅させたり、消灯させたり、あるいは減光させたりしている。また、専用の表示灯ＬＥＤを設け、放電ランプの寿命末期時に表示灯ＬＥＤを点滅させる放電ランプ点灯装置が提案されている（例えば、特許文献１参照。）。また、寿命末期検出手段と寿命末期表示手段をリード線で接続し、寿命末期表示手段の発光ダイオードを壁スイッチに設ける放電ランプ点灯装置が提案されている（例えば、特許文献２参照。）。
【特許文献１】特開２００４−３４２５５６号公報（第３頁、第１図）
【特許文献２】特開平５−３２６１６４号公報（第３頁、第５図）
【発明の開示】
【発明が解決しようとする課題】
【０００３】
特許文献１の放電ランプ点灯装置は、自身に専用の表示灯を設けるので、表示灯の設置スペースおよび制御回路が必要となって大形化するとともに、その分コストが上昇するという欠点を有する。
【０００４】
また、特許文献２の放電ランプ点灯装置は、寿命末期検出手段と壁スイッチがリード線により接続されるので、リード線の全長が長くなるとともに、リード線の配線作業に手間を要するという欠点を有する。
【０００５】
本発明は、リード線の配線を要せずに、放電ランプの寿命末期を表示手段による報知で行える照明制御システムを提供することを目的とする。
【課題を解決するための手段】
【０００６】
請求項１に記載の照明制御システムの発明は、制御信号を伝送する伝送線と；伝送線から制御信号を受信し伝送線へ制御信号を送信する第１の送受信手段と、第１の送受信手段が受信した制御信号に応じて放電ランプを点灯させる高周波点灯手段と、高周波点灯手段により点灯される放電ランプと、放電ランプの寿命末期を検出するランプ寿命検出手段およびこのランプ寿命検出手段が前記寿命末期を検出したときに検出データを第１の送受信手段から伝送線に出力させる第１の制御手段とを有してなる端末機能付き放電ランプ点灯装置と；伝送線から制御信号を受信し伝送線へ制御信号を送信する第２の送受信手段、手動操作されるスイッチ手段および視認される表示手段を備え、スイッチ手段の手動操作に応じた制御信号を第２の送受信手段から伝送線に出力させるとともに、第２の送受信手段が伝送線から前記検出データを受信したときに表示手段に前記寿命末期の検出を表示させる第２の制御手段を有してなる壁スイッチ装置と；を具備していることを特徴とする。
【０００７】
本発明において、特に言及しない限り、各構成は以下による。
【０００８】
ランプ寿命検出手段は、ランプ電圧の上昇または低下、不点、半波放電など、放電ランプの寿命末期を検出するものであればよい。
【０００９】
表示手段による表示は、例えば表示用ランプの点灯又は点滅により行える。
【００１０】
端末機能付き放電ランプ点灯装置は、ランプ寿命検出手段が放電ランプの寿命末期を検出しているときに検出信号を連続的に出力し、ランプ寿命検出手段が寿命末期を検出しなくなったときに検出データの出力を停止するように形成されてもよく、あるいは、ランプ寿命検出手段が放電ランプの寿命末期を検出したときに検出信号を出力し、ランプ寿命検出手段が寿命末期を検出しなくなったときに非検出データの出力するように形成されてもよい。壁スイッチ装置は、前者の場合、検出データを受信しているときに表示手段により寿命末期の検出の表示を行い、後者の場合、検出データの受信により表示手段による前記表示を行い、非検出データの受信により表示手段による前記表示を停止させる。
【００１１】
本発明によれば、端末機能付き放電ランプ点灯装置のランプ寿命検出手段が放電ランプの寿命末期を検出すると、検出データが第１の送受信手段から伝送線に出力される。検出データは、伝送線を伝送して壁スイッチ装置の第２の送受信手段により受信される。そして、第２の制御手段は、検出データの受信に応じて表示手段を表示させる。放電ランプの寿命末期が壁スイッチ装置に設けられた表示手段の表示により視認されて報知される。
【発明の効果】
【００１２】
請求項１の発明によれば、放電ランプの寿命末期の検出データを伝送線により壁スイッチ装置に伝送して表示手段の表示により報知させるので、新たなリード線の配線を要せず、安価に放電ランプの寿命末期の表示手段を形成することができる。
【発明を実施するための最良の形態】
【００１３】
以下、本発明の一実施の形態について、図面を参照して説明する。
【００１４】
図１ないし図５は、本発明の一実施の形態を示し、図１は照明制御システムのブロック図、図２は端末機能付き放電ランプ点灯装置の回路図、図３は伝送信号の概略構成図、図４は壁スイッチ装置の概略正面図、図５は壁スイッチ装置のブロック図である。
【００１５】
図１において、照明制御システム１は、２線の伝送線２、端末機能付き放電ランプ点灯装置３および壁スイッチ装置４を有して構成されている。端末機能付き放電ランプ点灯装置３および放電ランプとしての蛍光ランプ５は、照明器具６に配設されている。そして、端末機能付き放電ランプ点灯装置３および壁スイッチ装置４は、それぞれアドレスを有し、伝送線２により主制御装置７に接続されている。
【００１６】
伝送線２は、伝送信号（制御データ）を伝送する。そして、主制御装置７は、例えば照明主操作盤内に配設され、壁スイッチ装置４から出力された制御信号が入力され、当該制御信号を解析して、当該制御信号に応じた伝送信号を伝送線２に出力する。
【００１７】
端末機能付き放電ランプ点灯装置３は、図２に示すように、第１の送受信手段としての送受信部８、高周波点灯手段としての高周波点灯回路９、放電ランプとしての蛍光ランプ５、ランプ寿命検出手段としてのランプ寿命検出回路１０および第１の制御手段としてのインバータ回路用集積回路（ＩＣ）１１を有して構成されている。
【００１８】
送受信部８は、伝送線２から制御信号を受信し、伝送線２に制御信号を送信するように形成されている。すなわち、主制御装置７からの伝送信号を伝送線２から受信し、後述の検出データを有する制御信号を伝送線２に出力する。
【００１９】
高周波点灯回路９は、直流電圧発生回路１２、インバータ回路１３および共振回路１４により形成されている。直流電圧発生回路１２は、整流装置１５および平滑用コンデンサＣ１を有し、商用交流電源Ｖｓの交流電圧を整流平滑して直流電圧に変換し、直流電圧を平滑用コンデンサＣ１の両端間に出力する。
【００２０】
インバータ回路１３は、平滑用コンデンサＣ１の両端間に直列的に接続された電界効果トランジスタＦＥＴ１，ＦＥＴ２および電界効果トランジスタＦＥＴ１，ＦＥＴ２のそれぞれのゲートに接続された駆動回路１６を有して構成されている。インバータ回路１３は、駆動回路１６がインバータ回路用集積回路１１から送出された制御信号に応じて電界効果トランジスタＦＥＴ１，ＦＥＴ２を交互にオンオフ動作させることにより、電界効果トランジスタＦＥＴ２のドレイン、ソース間に高周波交流電圧を出力する。
【００２１】
共振回路１４は、蛍光ランプ５を介して電界効果トランジスタＦＥＴ２のドレイン、ソース間に接続されたインダクタＬ１、直流カット用コンデンサＣ２および始動用コンデンサＣ３を有して形成されている。そして、インバータ回路１３から出力された高周波交流電圧により共振して蛍光ランプ５を点灯させる。
【００２２】
送受信部８が受信した伝送信号の制御データは、インバータ回路用集積回路１１に入力されており、インバータ回路用集積回路１１が当該制御データに応じて駆動回路１６を制御する。こうして、高周波点灯回路９は、当該制御データに応じて蛍光ランプ５を点消灯または調光点灯させる。
【００２３】
そして、ランプ寿命検出回路１０は、蛍光ランプ５の電源側のフィラメント電極５ａ，５ｂ間に接続された抵抗Ｒ１および抵抗Ｒ２の直列回路からなっている。そして、抵抗Ｒ２の両端電圧がインバータ回路用集積回路１１に入力されている。ランプ寿命検出回路１０は、蛍光ランプ５のランプ電圧を検出するものであり、ランプ電圧が所定電圧以上に上昇すると、インバータ回路用集積回路１１により、寿命末期と判断される。このように、ランプ寿命検出回路１０は、蛍光ランプ５の寿命末期を検出している。
【００２４】
なお、蛍光ランプ５の寿命末期の検出は、ランプ寿命検出回路１０に限らず、例えば蛍光ランプ５の半波放電を検出する半波放電検出回路やランプ電流を検出するランプ電流検出回路であってもよく、あるいは、これらをランプ寿命検出回路１０に付加させてもよい。
【００２５】
インバータ回路用集積回路１１は、ワンチップで構成されている。そして、ランプ寿命検出回路１０に接続され、抵抗Ｒ２の両端電圧により蛍光ランプ５の寿命末期を判断している。また、送受信部８およびインバータ回路１３の駆動回路１６に接続されており、送受信部８が受信した制御信号の制御データに応じて電界効果トランジスタＦＥＴ１，ＦＥＴ２を所定のスイッチング周波数でオンオフ動作させる制御信号を送出するように構成されている。
【００２６】
そして、インバータ回路用集積回路１１は、ランプ寿命検出回路１０により蛍光ランプ５の寿命末期が検出されたときに、検出データを有する制御信号を送受信部８から伝送線２に出力させるように制御している。すなわち、蛍光ランプ５の寿命末期の検出信号を端末機能付き放電ランプ点灯装置３のアドレスを付与した伝送フォーマットに変換して出力させる。
【００２７】
伝送信号１７は、図３に示すように、例えば開始モード、制御データが制御または監視を示す制御・監視モード、アドレスモード、制御データモード、監視応答データモードおよび終了モードを有して構成される。端末機能付き放電ランプ点灯装置３および壁スイッチ装置４などのそれぞれのアドレスは、アドレスモードに記憶される。また、前記検出データおよび蛍光ランプ５を点消灯または調光点灯させる制御データは、制御データモードに記憶される。
【００２８】
そして、壁スイッチ装置４は、例えば箱体に形成され、この箱体の内部に電子部品等が収納されている。壁スイッチ装置４は、壁などの造営物に直付けまたは埋設され、図４に示すように、前面４ａには、例えば押圧、復帰される平板で形成されてオンオフ操作される複数のスイッチ部１８および各スイッチ部１８にそれぞれ並設されている表示用の発光ダイオード（ＬＥＤ）１９，２０を設けている。
【００２９】
各スイッチ部１８および各発光ダイオード１９，２０は、それぞれアドレスを有して端末機能付き放電ランプ点灯装置３に対応されている。発光ダイオード１９は、並設のスイッチ部１８に対応している端末機能付き放電ランプ点灯装置３により蛍光ランプ５が点灯制御されているときに赤色で点灯するように制御され、発光ダイオード２０は、同じく蛍光ランプ５が消灯制御されているときに緑色で点灯するように制御される。また、発光ダイオード１９，２０は、後述するように、壁スイッチ装置４が端末機能付き放電ランプ点灯装置３から出力された蛍光ランプの寿命末期の検出データを受信しているときに点滅（点灯）制御される。
【００３０】
そして、壁スイッチ装置４は、図５に示すように、操作スイッチ入力インターフェース（Ｉ／Ｆ）部２１、第２の送受信手段としての伝送インターフェース（Ｉ／Ｆ）部２２、ＬＥＤ制御インターフェース（Ｉ／Ｆ）部２３、不揮発性の記憶部２４、揮発性の記憶部２５、電源生成部２６および第２の制御手段としての制御部２７を有して構成されている。
【００３１】
そして、出力端子２８ａ，２８ｂは、伝送Ｉ／Ｆ部２２の出力側に接続され、電源端子２９ａ，２９ｂは、電源生成部２６の入力側に接続されている。出力端子２８ａ，２８ｂは、伝送線２，２に接続され、電源端子２９ａ，２９ｂは、出力端子２８ａ，２８ｂを介して伝送線２，２に接続されている。
【００３２】
操作スイッチ入力Ｉ／Ｆ部２１は、各スイッチ部１８に接続されていて、スイッチ部１８のオンオフの手動操作に応じた操作信号を制御部２７に送出する。制御部２７は、当該操作信号に応じた演算処理により制御信号（制御データ）を生成する。すなわち、スイッチ部１８のオンオフの手動操作に応じた制御信号、例えば蛍光ランプ５を点消灯させるオンオフ信号を生成する。スイッチ部１８および操作スイッチ入力Ｉ／Ｆ部２１は、手動操作されるスイッチ手段を形成している。なお、スイッチ手段は、蛍光ランプ５を点消灯させるオンオフ信号を生成するものでなく、スイッチ部１８の押圧の手動操作に応じて、蛍光ランプ５を調光点灯させる調光信号を生成するものであってもよい。
【００３３】
伝送Ｉ／Ｆ部２２は、制御部２７の制御により、制御部２７で演算生成されたスイッチ部１８の手動操作に応じた制御データを有する制御信号を出力端子２８ａ，２８ｂから伝送線９，９に出力するように形成されている。また、端末機能付き放電ランプ点灯装置３から出力された蛍光ランプ５の寿命末期を示す検出データや各種制御データを有する伝送信号１７を伝送線２，２から受信して制御部２７に送出するように形成されている。
【００３４】
ＬＥＤ制御Ｉ／Ｆ部２３は、各発光ダイオード１９，２０に接続されている。そして、制御部２７がスイッチ部１８の手動操作に応じて蛍光ランプ５を点灯させる制御信号を伝送Ｉ／Ｆ部２２から出力させたときに発光ダイオード１９を点灯させ、蛍光ランプ５を消灯させる制御信号を出力させたときに発光ダイオード２０を点灯させる。また、伝送Ｉ／Ｆ部２２が伝送線２，２から蛍光ランプ５の寿命末期を示す検出データを受信したときに、制御部２７の制御により、発光ダイオード１９，２０の両方を点滅させるように形成されている。すなわち、発光ダイオード１９，２０は、蛍光ランプ５の寿命末期の検出を表示させる。各発光ダイオード１９，２０およびＬＥＤ制御Ｉ／Ｆ部２３は、視認される表示手段を形成している。
【００３５】
不揮発性の記憶部２４は、制御部２７の動作を実行させるプログラムを格納しているＲＯＭを具備している。そして、壁スイッチ装置４などの予め設定されたアドレスが記憶されている。また、揮発性の記憶部２５は、ＲＡＭを具備し、制御部２７が演算処理したデータを記憶する。
【００３６】
電源生成部２６は、伝送線２，２に伝送された伝送信号１７から所定の直流電圧を生成して、制御部２７などの各回路部に動作電源を供給するように構成されている。
【００３７】
制御部２７は、ＲＯＭおよびＣＰＵ（中央処理装置）を具備し、各回路部に接続され、壁スイッチ装置４全体の動作を統括管理するものである。そして、蛍光ランプ５を点消灯させるスイッチ部１８の手動操作が実行されたとき、手動操作に応じた制御データを演算生成して、当該制御データに手動操作されたスイッチ部１８のアドレスを付与した制御信号を伝送Ｉ／Ｆ部２２から伝送線２，２に出力させる。また、伝送Ｉ／Ｆ部２２が伝送線２，２から蛍光ランプ５の寿命末期を示す検出データを受信したときに、ＬＥＤ制御Ｉ／Ｆ部２３が発光ダイオード１９，２０の両方を点滅させるように制御する。
【００３８】
次に、本発明の一実施の形態の作用について説明する。
【００３９】
壁スイッチ装置４において、蛍光ランプ５を点消灯させるようにスイッチ部１８のオンオフ操作が行われると、オンオフ操作に応じた制御データと予め設定されたアドレスを有する制御信号が伝送Ｉ／Ｆ部２２から伝送線２に出力され、主制御装置７に伝送される。主制御装置７は、制御信号を解析してアドレスを有する伝送信号１７を伝送線２に伝送させる。伝送信号１７は、当該アドレスを有する端末機能付き放電ランプ点灯装置３の送受信部８で受信される。端末機能付き放電ランプ点灯装置３は、伝送信号１７の制御データに応じて蛍光ランプ５を点消灯させる。
【００４０】
そして、端末機能付き放電ランプ点灯装置３において、ランプ寿命検出回路１０が蛍光ランプ５の寿命末期を検出すると、インバータ回路用制御回路１１は、検出データおよびアドレスを有する制御信号を送受信部８から伝送線２に出力させる。制御信号は、主制御装置７に伝送される。制御装置７は、制御信号を解析してアドレスを有する伝送信号１７を伝送線２に伝送させる。伝送信号１７は、当該アドレスを有する壁スイッチ装置４の伝送Ｉ／Ｆ部２２で受信される。壁スイッチ装置４の制御部２７は、ＬＥＤ制御Ｉ／Ｆ部２３を制御して、当該アドレスと一致する（蛍光ランプ５に対応している）発光ダイオード１９，２０の両方を点滅させる。この発光ダイオード１９，２０の点滅が視認されることにより、蛍光ランプ５の寿命末期が特定して報知される。
【００４１】
なお、端末機能付き放電ランプ点灯装置３は、蛍光ランプ５の寿命末期を検出した検出データに限らず、蛍光ランプ５の他の異常状態や蛍光ランプ５の未装着などを検出した検出データを伝送線２に送信することもできる。
【００４２】
上述したように、蛍光ランプ５の寿命末期の検出データを伝送線２により壁スイッチ装置４に伝送するので、新たなリード線の配線をすることなく、安価に蛍光ランプ５の寿命末期の表示手段を形成することができる。
【００４３】
そして、ひとつの壁スイッチ装置４で複数の照明器具６を制御するグループ制御がある。この場合に、当該グループに属する端末機能付き放電ランプ点灯装置３の１個でも蛍光ランプ５の寿命末期を検出していると、壁スイッチ装置４の発光ダイオード１９，２０が点滅する。このとき、蛍光ランプ５の寿命末期を検出した端末機能付き放電ランプ点灯装置３は、当該蛍光ランプ５を減光または消灯させるようにすると、発光ダイオード１９，２０の点滅の確認後、グループの中で他の蛍光ランプ５と点灯状態が異なっている寿命末期の蛍光ランプ５を特定することができる。調光機能付き制御端末器で放電ランプ点灯装置を制御していると、寿命末期の蛍光ランプ５に限らず、グループの他の蛍光ランプ５も減光または消灯されるので、寿命末期の蛍光ランプ５を特定することができない。
【００４４】
そして、伝送線２に端末機能付き放電ランプ点灯装置３が接続され、制御端末器を要しないので、照明制御システム１を簡素にかつ安価にすることができる。
【図面の簡単な説明】
【００４５】
【図１】本発明の一実施の形態を示す照明制御システムのブロック図。
【図２】同じく、端末機能付き放電ランプ点灯装置の回路図。
【図３】同じく、伝送信号の概略構成図。
【図４】同じく、壁スイッチ装置の概略正面図。
【図５】同じく、壁スイッチ装置のブロック図。
【符号の説明】
【００４６】
１…照明制御システム
２…伝送線
３…端末機能付き放電ランプ点灯装置
４…壁スイッチ装置
【図１】
2007087895.tif 000003
【図２】
2007087895.tif 000004
【図３】
2007087895.tif 000005
【図４】
2007087895.tif 000006
【図５】
2007087895.tif 000007